(57)【要約】【課題】      記録装置のユーザにとって必要な放送情報をユーザに通知できるようにすること。【解決手段】  登録された情報提供者を記憶する登録情報記憶手段４と、情報提供者を特定する情報提供者特定情報と前記情報提供者が提供するメッセージ情報とを有する放送情報を含む放送電波を受信する放送受信装置２と、前記放送受信装置２が受信した前記放送情報を記憶する放送情報記憶装置３と、前記放送情報に含まれる情報提供者特定情報により特定される情報提供者が前記登録情報提供者か否かを判別する情報提供者判別手段７ａと、前記放送情報に含まれる情報提供者特定情報により特定される情報提供者が前記登録情報提供者である場合に前記登録情報提供者からの放送情報を受信したことを記録装置Ｕのユーザに通知する放送情報受信通知手段８とを備えた記録装置Ｕ。【選択図】    図１
2006179971.tif 000002
【特許請求の範囲】
【請求項１】
次の構成要件（Ａ01）〜（Ａ05）を備え、シートに画像を記録して出力する記録装置、
（Ａ01）登録された情報提供者を記憶する登録情報記憶手段、
（Ａ02）情報提供者を特定する情報提供者特定情報と、前記情報提供者が提供するメッセージ情報と有する放送情報を含む放送電波を受信する放送受信装置、
（Ａ03）前記放送受信装置が受信した前記放送情報を記憶する放送情報記憶装置、
（Ａ04）前記放送情報に含まれる情報提供者特定情報により特定される情報提供者が前記登録情報提供者か否かを判別する情報提供者判別手段、
（Ａ05）前記放送情報に含まれる情報提供者特定情報により特定される情報提供者が前記登録情報提供者である場合に前記登録情報提供者からの放送情報を受信したことを記録装置のユーザに通知する放送情報受信通知手段。
【請求項２】
次の構成要件（Ａ06）〜（Ａ09）を備えた請求項１記載の記録装置、
（Ａ06）記録装置に割り当てられた識別ＩＤを登録識別ＩＤとして記憶する前記登録情報記憶手段
（Ａ07）メッセージ送信先を特定する識別ＩＤを含む前記放送情報
（Ａ08）前記放送情報に含まれる識別ＩＤが前記登録識別ＩＤであるか否かを判別する識別ＩＤ判別手段、
（Ａ09）前記放送情報に含まれる識別ＩＤが前記登録識別ＩＤである場合に前記登録情報提供者からの放送情報を受信したことを前記記録装置のユーザに通知する前記放送情報受信通知手段。
【請求項３】
次の構成要件（Ａ010）を備えた請求項１または２記載の記録装置、
（Ａ010）前記放送情報を受信したことを記録装置のユーザに通知する方法として、前記記録装置によりシートに画像を記録する方法、前記記録装置のユーザインタフェースの表示部に表示する方法、または前記記録装置の音発生装置により音を発生する方法のいずれかの方法を選択可能な放送情報受信通知手段。
【請求項４】
次の構成要件（Ａ011），（Ａ012）を備えた請求項３記載の記録装置、
（Ａ011）前記放送情報を受信したことを記録装置のユーザに通知する方法を指定する通知方法指定情報を含む前記放送情報を受信する前記放送受信装置、
（Ａ012）受信した前記放送情報が前記通知方法指定情報を含む場合には、前記通知方法指定情報で指定された通知方法を選択する前記放送情報受信通知手段。
【請求項５】
次の構成要件（Ａ01）〜（Ａ04），（Ａ013）を備え、シートに画像を記録して出力する記録装置、
（Ａ01）登録された情報提供者を記憶する登録情報記憶手段、
（Ａ02）情報提供者を特定する情報提供者特定情報と、前記情報提供者が提供するメッセージ情報と有する放送情報を含む放送電波を受信する放送受信装置、
（Ａ03）前記放送受信装置が受信した前記放送情報を記憶する放送情報記憶装置、
（Ａ04）前記放送情報に含まれる情報提供者特定情報により特定される情報提供者が前記登録情報提供者か否かを判別する情報提供者判別手段、
（Ａ013）前記放送情報に含まれる情報提供者特定情報により特定される情報提供者が前記登録情報提供者である場合に前記放送情報に含まれるメッセージ情報を画像記録用のシートに出力する前記放送情報受信通知手段。
【請求項６】
次の構成要件（Ａ06）〜（Ａ08），（Ａ014）を備えた請求項５記載の記録装置、
（Ａ06）記録装置に割り当てられた識別ＩＤを登録識別ＩＤとして記憶する登録情報記憶手段
（Ａ07）メッセージ送信先を特定する識別ＩＤを含む前記放送情報
（Ａ08）前記放送情報に含まれる識別ＩＤが前記登録識別ＩＤであるか否かを判別する識別ＩＤ判別手段、
（Ａ014）前記放送情報に含まれる識別ＩＤが前記登録識別ＩＤである場合に前記放送情報に含まれるメッセージ情報を画像記録用のシートに出力する出力制御手段。
【請求項７】
次の構成要件（Ａ015）を備えた請求項１ないし６のいずれか記載の記録装置、
（Ａ015）前記受信した放送情報を外部に送信する受信情報送信手段。
【請求項８】
次の構成要件（Ａ016），（Ａ017）を備えた請求項１ないし６のいずれか記載の記録装置、
（Ａ016）前記放送受信装置の受信電波を増幅する受信電波増幅器、
（Ａ017）前記増幅した受信電波を送信する送信アンテナを有する送信装置。
【請求項９】
次の構成要件（Ａ01）〜（Ａ05）を備え、シートに画像を記録して出力する記録装置に直接またはネットワークを介して接続されたコンピュータ、
（Ａ01）登録された情報提供者を記憶する登録情報記憶手段、
（Ａ02）情報提供者を特定する情報提供者特定情報と、前記情報提供者が提供するメッセージ情報と有する放送情報を含む放送電波を受信する放送受信装置、
（Ａ03）前記放送受信装置が受信した前記放送情報を記憶する放送情報記憶装置、
（Ａ04）前記放送情報に含まれる情報提供者特定情報により特定される情報提供者が前記登録情報提供者か否かを判別する情報提供者判別手段、
（Ａ05）前記放送情報に含まれる情報提供者特定情報により特定される情報提供者が前記登録情報提供者である場合に前記登録情報提供者からの放送情報を受信したことを前記記録装置のユーザに通知する放送情報受信通知手段。
【請求項１０】
次の構成要件（Ａ06）〜（Ａ09）を備えた請求項９記載のコンピュータ、
（Ａ06）記録装置に割り当てられた識別ＩＤを登録識別ＩＤとして記憶する前記登録情報記憶手段
（Ａ07）メッセージ送信先を特定する識別ＩＤを含む前記放送情報
（Ａ08）前記放送情報に含まれる識別ＩＤが前記登録識別ＩＤであるか否かを判別する識別ＩＤ判別手段、
（Ａ09）前記放送情報に含まれる識別ＩＤが前記登録識別ＩＤである場合に前記登録情報提供者からの放送情報を受信したことを記録装置のユーザに通知する前記放送情報受信通知手段。
【請求項１１】
次の構成要件（Ａ010）を備えた請求項９または１０記載のコンピュータ、
（Ａ010）前記放送情報を受信したことを記録装置のユーザに通知する方法として、前記記録装置によりシートに画像を記録する方法、前記記録装置のユーザインタフェースの表示部に表示する方法、または前記記録装置の音発生装置により音を発生する方法のいずれかの方法を選択可能な前記放送情報受信通知手段。
【請求項１２】
次の構成要件（Ａ016）,（Ａ017）を備えた請求項９ないし１１のいずれか記載のコンピュータ、
（Ａ016）前記放送受信装置の受信電波を増幅する受信電波増幅器、
（Ａ017）前記増幅した受信電波を送信する送信アンテナを有する送信装置。
【請求項１３】
次の構成要件（Ａ018）を備えた記録装置用放送データ構造、
（Ａ018）デジタル放送の副搬送波で送信される記録装置用放送データ構造であって、メッセージ情報と、前記メッセージ情報提供する情報提供者特定情報と、前記メッセージ情報の送信先の記録装置を特定する識別ＩＤ情報とを含む前記記録装置用放送データ構造。
【発明の詳細な説明】
【技術分野】
【０００１】
本発明は電子写真プロセスや、インクジェット等の原理を使用した記録装置に関するものであり、詳しくは前記記録装置にデジタル放送受信機器を搭載することにより、ユーザに対して種々の情報を通知・提供することのできる記録装置、前記記録装置に接続されたコンピュータ、および記録装置用放送データ構造に関するものである。さらには、記録装置向けのデジタル放送電波を確実に受信させる為に、受信電波を増幅した後にアンテナから送信可能な記録装置または、前記記録装置に接続されたコンピュータに関するものである。
【背景技術】
【０００２】
従来使用されてきている記録装置、例えば、電子写真プロセスを使用したものやインクジェット等の原理を使用したものでは、ひとたび、記録装置にリコール対象となるようなトラブルが発生すると、その事実を記録装置のユーザに知らせるには車の場合と異なり大きな困難が伴うものであった。すなわち、前記した車のケースと異なりメーカがユーザを特定する情報をほとんど有していないので、新聞の社告や、ホームページ（以下ＨＰと略す）等でリコールを公示するが、それをしたとしても、次の問題点（１）〜（３）がある。
（１）ユーザが必ず新聞の社告を見ているとは限らない。
（２）たとえ見たとしても、今使用している機器が当該リコール対象機であるという確認がし難い。つまり、機械の型番、シリアルナンバーを見るためには、機械の移動や機械の裏へ回っての視認等の負担をユーザに強いる。
（３）さらに、ＯＥＭ機器になると製造メーカと販売メーカが異なるため前記（２）のユーザ負担はますます増えることになる。
前記問題点（１）〜（３）等により、リコール対象機器の所在（ユーザ）をメーカが特定することを難しいものにしている。
【０００３】
他方、電子写真プロセスやインクジェット等の原理を使用した記録装置では、出力した印字物や、機器そのものが持っているコンソールパネルの表示部で、ユーザに対して何かしらの情報を通知できる能力を有するが、そのような記録装置は、通常は閉じたネットワークやＰＣ（パソコン）とのプリンタポート使用による１対１や、１対ｎの接続がなされているので、メーカが上記したリコール等の非常事態の情報を上記通知能力を使用して通知することは不可能であった。
そこで、ディジタル放送の副搬送波に機器制御信号を乗せて、対象機器をリモートで制御するシステムが特許文献１（特開２００２−１１２３５８号公報）に開示されている。前記特許文献１によれば、ユーザは、自分自身の指定に従って自宅にある機器を制御することは開示されているが、上記したような記録装置を対象とする課題を解決するものではなかった。
【０００４】
一方、デジタル放送を使用した広告おいては、特許文献２（特開２００２−０１６５６０号公報）に開示されているように、広告情報をデジタル放送信号に重畳することが述べられている。特許文献３（特開平０９−２７１０１０号公報）では、デジタル放送信号内に情報識別コードを含むことが述べられている。しかしながら、前者（特許文献２）では、インターネットを経由して広告情報を得ることが構成要件であり、後者では、課金を確実にすることを目的としている。
従って、インターネット上の広告主のホームページにメールアドレスを登録しておけば、自動的に電子メールにて情報が送信されてくるような手軽さで、かつ課金されることもなくユーザに広告情報を通知する記録装置は従来なかった。さらには、前記種類の記録装置を含むネットワークも当然ながら存在しないものであった。
【０００５】
【特許文献１】特開２００２−１１２３５８号公報
【特許文献２】特開２００２−０１６５６０号公報
【特許文献３】特開平０９−２７１０１０号公報
【発明の開示】
【発明が解決しようとする課題】
【０００６】
本発明は、前記問題点に鑑み、次の記載内容（Ｏ01）〜（Ｏ03）を技術的課題とする。
（Ｏ01）記録装置のユーザにとって必要な放送情報をユーザに通知できるようにすること。
（Ｏ02）電子写真プロセスやインクジェット等を使用した記録装置において、ユーザが構築したパソコン、サーバ等の上位機器とプリンタの間の接続形態にかかわりなく、非常事態の情報等を記録装置のユーザに通知可能にすること。
（Ｏ03）手軽に、課金を必要としないディジタル放送に重畳されている広告情報を、ユーザが許諾した範囲で容易に得られるようにすること。
【課題を解決するための手段】
【０００７】
次に、前記課題を解決するための本発明を説明するが、本発明の要素には、後述する実施例の要素との対応を容易にするため、実施例の要素の符号をカッコで囲んだものを付記する。本発明を後述の実施例の符号と対応させて説明する理由は、本発明の理解を容易にするためであり、本発明の範囲を実施例に限定するためではい。
【０００８】
（第１発明）
第１発明の、シートに画像を記録して出力する記録装置は、次の構成要件（Ａ01）〜（Ａ05）を備えたことを特徴とする。
（Ａ01）登録された情報提供者を記憶する登録情報記憶手段（４）、
（Ａ02）情報提供者を特定する情報提供者特定情報と、前記情報提供者が提供するメッセージ情報と有する放送情報を含む放送電波を受信する放送受信装置（２）、
（Ａ03）前記放送受信装置（２）が受信した前記放送情報を記憶する放送情報記憶装置（３）、
（Ａ04）前記放送情報に含まれる情報提供者特定情報により特定される情報提供者が前記登録情報提供者か否かを判別する情報提供者判別手段（７ａ）、
（Ａ05）前記放送情報に含まれる情報提供者特定情報により特定される情報提供者が前記登録情報提供者である場合に前記登録情報提供者からの放送情報を受信したことを記録装置（Ｕ）のユーザに通知する放送情報受信通知手段（８）。
【０００９】
（第１発明の作用）
前記構成要件（Ａ01）〜（Ａ05）を備えた第１発明の、シートに画像を記録して出力する記録装置では、登録情報記憶手段（４）は、登録された情報提供者を記憶する。
放送受信装置（２）は、情報提供者を特定する情報提供者特定情報と、前記情報提供者が提供するメッセージ情報と有する放送情報を含む放送電波を受信する。放送情報記憶装置（３）は、前記放送受信装置（２）が受信した前記放送情報を記憶する。
情報提供者判別手段（７ａ）は、前記放送情報に含まれる情報提供者特定情報により特定される情報提供者が前記登録情報提供者か否かを判別する
放送情報受信通知手段（８）は、前記放送情報に含まれる情報提供者特定情報により特定される情報提供者が前記登録情報提供者である場合に前記登録情報提供者からの放送情報を受信したことを記録装置（Ｕ）のユーザに通知する。
前記第１発明の記録装置（Ｕ）によれば、登録情報記憶手段（４）に登録された情報提供者が提供する放送情報を、ユーザに通知することができる。
【００１０】
（本発明の形態１）
本発明の形態１の記録装置は、第１発明において次の構成要件（Ａ06）〜（Ａ09）を備えたことを特徴とする。
（Ａ06）記録装置（Ｕ）に割り当てられた識別ＩＤを登録識別ＩＤとして記憶する前記登録情報記憶手段（４）、
（Ａ07）メッセージ送信先を特定する識別ＩＤを含む前記放送情報、
（Ａ08）前記放送情報に含まれる識別ＩＤが前記登録識別ＩＤであるか否かを判別する識別ＩＤ判別手段（７ｂ）、
（Ａ09）前記放送情報に含まれる識別ＩＤが前記登録識別ＩＤである場合に前記登録情報提供者からの放送情報を受信したことを前記記録装置（Ｕ）のユーザに通知する前記放送情報受信通知手段（８）。
【００１１】
（本発明の形態１の作用）
前記構成要件（Ａ06）〜（Ａ09）を備えた本発明の形態１の記録装置では、前記登録情報記憶手段（４）は、記録装置（Ｕ）に割り当てられた識別ＩＤを登録識別ＩＤとして記憶する。
メッセージ送信先を特定する識別ＩＤを含む放送情報が受信された場合、識別ＩＤ判別手段（７ｂ）は、前記放送情報に含まれる識別ＩＤが前記登録識別ＩＤであるか否かを判別する。
放送情報受信通知手段（８）は、前記放送情報に含まれる識別ＩＤが前記登録識別ＩＤである場合に前記登録情報提供者からの放送情報を受信したことを前記記録装置（Ｕ）のユーザに通知する。
記録装置（Ｕ）のユーザは、記録装置（Ｕ）に割り当てられた識別ＩＤを登録識別ＩＤとして前記登録情報記憶手段（４）記憶させておくことにより、前記識別ＩＤが割り当てられた記録装置に対する放送情報を知ることができる。
【００１２】
（本発明の形態２）
本発明の形態２の記録装置は、第１発明において次の構成要件（Ａ010）を備えたことを特徴とする。
（Ａ010）前記放送情報を受信したことを記録装置（Ｕ）のユーザに通知する方法として、前記記録装置（Ｕ）によりシートに画像を記録する方法、前記記録装置（Ｕ）のユーザインタフェース（ＵＩ）の表示部（ＵＩ1）に表示する方法、または前記記録装置（Ｕ）の音発生装置により音を発生する方法のいずれかの方法を選択可能な前記放送情報受信通知手段（８）。
【００１３】
（本発明の形態２の作用）
前記構成要件（Ａ010）を備えた本発明の形態２の記録装置では、放送情報受信通知手段（８）は、前記放送情報を受信したことを記録装置（Ｕ）のユーザに通知する方法として、前記記録装置（Ｕ）によりシートに画像を記録する方法、前記記録装置（Ｕ）のユーザインタフェース（ＵＩ）の表示部（ＵＩ1）に表示する方法、または前記記録装置（Ｕ）の音発生装置により音を発生する方法のいずれかの方法を選択することができる。
【００１４】
（本発明の形態３）
本発明の形態３の記録装置は、第１発明の形態２において次の構成要件（Ａ011），（Ａ012）を備えたことを特徴とする。
（Ａ011）前記放送情報を受信したことを記録装置（Ｕ）のユーザに通知する方法を指定する通知方法指定情報を含む前記放送情報を受信する前記放送受信装置（２）、
（Ａ012）受信した前記放送情報が前記通知方法指定情報を含む場合には、前記通知方法指定情報で指定された通知方法を選択する前記放送情報受信通知手段（８）。
【００１５】
（本発明の形態３の作用）
前記構成要件（Ａ011），（Ａ012）を備えた本発明の形態３の記録装置では、前記放送受信装置（２）は、前記放送情報を受信したことを記録装置（Ｕ）のユーザに通知する方法を指定する通知方法指定情報を含む前記放送情報を受信する。
受信した前記放送情報が前記通知方法指定情報を含む場合には、前記放送情報受信通知手段（８）は、放送情報を受信したことを前記通知方法指定情報で指定された通知方法でユーザに通知する。
【００１６】
（第２発明）
第２発明のシートに画像を記録して出力する記録装置は、次の構成要件（Ａ01）〜（Ａ04），（Ａ013）を備えたことを特徴とする。
（Ａ01）登録された情報提供者を記憶する登録情報記憶手段（４）、
（Ａ02）情報提供者を特定する情報提供者特定情報と、前記情報提供者が提供するメッセージ情報と有する放送情報を含む放送電波を受信する放送受信装置（２）、
（Ａ03）前記放送受信装置（２）が受信した前記放送情報を記憶する放送情報記憶装置（３）、
（Ａ04）前記放送情報に含まれる情報提供者特定情報により特定される情報提供者が前記登録情報提供者か否かを判別する情報提供者判別手段（７ａ）、
（Ａ013）前記放送情報に含まれる情報提供者特定情報により特定される情報提供者が前記登録情報提供者である場合に前記放送情報に含まれるメッセージ情報を画像記録用のシートに出力する前記放送情報受信通知手段（８）。
【００１７】
（第２発明の作用）
前記構成要件（Ａ01）〜（Ａ04），（Ａ013）を備えた第２発明のシートに画像を記録して出力する記録装置では、登録情報記憶手段（４）は、登録された情報提供者を記憶する。
放送受信装置（２）は、情報提供者を特定する情報提供者特定情報と、前記情報提供者が提供するメッセージ情報と有する放送情報を含む放送電波を受信する。
放送情報記憶装置（３）は、前記放送受信装置（２）が受信した前記放送情報を記憶する。
情報提供者判別手段（７ａ）は、前記放送情報に含まれる情報提供者特定情報により特定される情報提供者が前記登録情報提供者か否かを判別する。
前記放送情報受信通知手段（８）は、前記放送情報に含まれる情報提供者特定情報により特定される情報提供者が前記登録情報提供者である場合に前記放送情報に含まれるメッセージ情報を画像記録用のシートに出力する。
前記第２発明の記録装置（Ｕ）によれば、登録情報記憶手段（４）に登録された情報提供者が提供するメーセッジ情報を、ユーザに通知することができる。
【００１８】
（本発明の形態４）
本発明の形態４の記録装置は、前記第２発明において次の構成要件（Ａ06）〜（Ａ08），（Ａ014）を備えたことを特徴とする。
（Ａ06）記録装置（Ｕ）に割り当てられた識別ＩＤを登録識別ＩＤとして記憶する登録情報記憶手段（４）、
（Ａ07）メッセージ送信先を特定する識別ＩＤを含む前記放送情報、
（Ａ08）前記放送情報に含まれる識別ＩＤが前記登録識別ＩＤであるか否かを判別する識別ＩＤ判別手段（７ｂ）、
（Ａ014）前記放送情報に含まれる識別ＩＤが前記登録識別ＩＤである場合に前記放送情報に含まれるメッセージ情報を画像記録用のシートに出力する出力制御手段（８）。
【００１９】
（本発明の形態４の作用）
前記構成要件（Ａ06）〜（Ａ08），（Ａ014）を備えた本発明の形態４の記録装置では、前記登録情報記憶手段（４）は、記録装置（Ｕ）に割り当てられた識別ＩＤを登録識別ＩＤとして記憶する。
メッセージ送信先を特定する識別ＩＤを含む放送情報が受信された場合、識別ＩＤ判別手段（７ｂ）は、前記放送情報に含まれる識別ＩＤが前記登録識別ＩＤであるか否かを判別する。
出力制御手段（８）は、前記放送情報に含まれる識別ＩＤが前記登録識別ＩＤである場合に前記放送情報に含まれるメッセージ情報を画像記録用のシートに出力する。
記録装置（Ｕ）のユーザは、記録装置（Ｕ）に割り当てられた識別ＩＤを登録識別ＩＤとして前記登録情報記憶手段（４）記憶させておくことにより、前記識別ＩＤが割り当てられた記録装置に対して放送されたメッセージを知ることができる。
【００２０】
（本発明の形態５）
本発明の形態５の記録装置は、第１発明もしくは第２発明または本発明の形態１ないし４のいずれかにおいて次の構成要件（Ａ015）を備えたことを特徴とする。
（Ａ015）前記受信した放送情報を外部に送信する受信情報送信手段（１７＋１８）。
（本発明の形態５の作用）
前記構成要件（Ａ015）を備えた本発明の形態５の記録装置では、受信情報送信手段（１７＋１８）により、前記受信した放送情報を外部に送信することができる。
【００２１】
（本発明の形態６）
本発明の形態６の記録装置は、第１発明もしくは第２発明または本発明の形態１ないし５のいずれかにおいて次の構成要件（Ａ016），（Ａ017）を備えたことを特徴とする。
（Ａ016）前記放送受信装置（２）の受信電波を増幅する受信電波増幅器（１６）、
（Ａ017）前記増幅した受信電波を送信する送信アンテナ（１８）を有する送信装置（１７＋１８）。
【００２２】
（本発明の形態６の作用）
前記構成要件（Ａ016），（Ａ017）を備えた本発明の形態６の記録装置では、受信電波増幅器（１６）は前記放送受信装置（２）の受信電波を増幅する。送信装置（１７＋１８）は、前記増幅した受信電波を送信アンテナ（１８）から送信することができる。
したがって、本発明の形態６の記録装置（Ｕ′）は、記録装置用放送電波中継装置（Ｕ′）として利用することができる。
【００２３】
（第３発明）
第３発明のコンピュータは、シートに画像を記録して出力する記録装置（Ｕ）に直接またはネットワーク（Ｎ）を介して接続され、次の構成要件（Ａ01）〜（Ａ05）を備えたことを特徴とする。
（Ａ01）登録された情報提供者を記憶する登録情報記憶手段（４）、
（Ａ02）情報提供者を特定する情報提供者特定情報と、前記情報提供者が提供するメッセージ情報とを有する放送情報を含む放送電波を受信する放送受信装置（２）、
（Ａ03）前記放送受信装置（２）が受信した前記放送情報を記憶する放送情報記憶装置（３）、
（Ａ04）前記放送情報に含まれる情報提供者特定情報により特定される情報提供者が前記登録情報提供者か否かを判別する情報提供者判別手段（７ａ）、
（Ａ05）前記放送情報に含まれる情報提供者特定情報により特定される情報提供者が前記登録情報提供者である場合に前記登録情報提供者からの放送情報を受信したことを記録装置（Ｕ）のユーザに通知する放送情報受信通知手段（８）。
【００２４】
（第３発明の作用）
前記構成要件（Ａ01）〜（Ａ05）を備えた第３発明のコンピュータは、シートに画像を記録して出力する記録装置（Ｕ）に直接またはネットワーク（Ｎ）を介して接続される。前記コンピュータ（Ｓ）の登録情報記憶手段（４）は、登録された情報提供者を記憶する。
前記コンピュータ（Ｓ）の放送受信装置（２）は、情報提供者を特定する情報提供者特定情報と、前記情報提供者が提供するメッセージ情報とを有する放送情報を含む放送電波を受信する。放送情報記憶装置（３）は、前記放送受信装置（２）が受信した前記放送情報を記憶する。
情報提供者判別手段（７ａ）は、前記放送情報に含まれる情報提供者特定情報により特定される情報提供者が前記登録情報提供者か否かを判別する
放送情報受信通知手段（８）は、前記放送情報に含まれる情報提供者特定情報により特定される情報提供者が前記登録情報提供者である場合に前記登録情報提供者からの放送情報を受信したことを記録装置（Ｕ）のユーザに通知する。
前記シートに画像を記録して出力する記録装置（Ｕ）に直接またはネットワーク（Ｎ）を介して接続された第１発明のコンピュータ（Ｓ）によれば、登録情報記憶手段（４）に登録された情報提供者が提供する放送情報を、ユーザに通知することができる。
【００２５】
（本発明の形態７）
本発明の形態７のコンピュータは、第３発明において次の構成要件（Ａ06）〜（Ａ09）を備えたことを特徴とする。
（Ａ06）記録装置（Ｕ）に割り当てられた識別ＩＤを登録識別ＩＤとして記憶する前記登録情報記憶手段（４）
（Ａ07）メッセージ送信先を特定する識別ＩＤを含む前記放送情報
（Ａ08）前記放送情報に含まれる識別ＩＤが前記登録識別ＩＤであるか否かを判別する識別ＩＤ判別手段（７ｂ）、
（Ａ09）前記放送情報に含まれる識別ＩＤが前記登録識別ＩＤである場合に前記登録情報提供者からの放送情報を受信したことを前記記録装置（Ｕ）のユーザに通知する前記放送情報受信通知手段（８）。
【００２６】
（本発明の形態７の作用）
前記構成要件（Ａ06）〜（Ａ09）を備えた本発明の形態７のコンピュータでは、前記登録情報記憶手段（４）は、記録装置（Ｕ）に割り当てられた識別ＩＤを登録識別ＩＤとして記憶する。
メッセージ送信先を特定する識別ＩＤを含む放送情報が受信された場合、識別ＩＤ判別手段（７ｂ）は、前記放送情報に含まれる識別ＩＤが前記登録識別ＩＤであるか否かを判別する。
放送情報受信通知手段（８）は、前記放送情報に含まれる識別ＩＤが前記登録識別ＩＤである場合に前記登録情報提供者からの放送情報を受信したことを前記記録装置（Ｕ）のユーザに通知する。
記録装置（Ｕ）のユーザは、記録装置（Ｕ）に割り当てられた識別ＩＤを登録識別ＩＤとして前記登録情報記憶手段（４）記憶させておくことにより、前記識別ＩＤが割り当てられた記録装置に対する放送情報を知ることができる。
【００２７】
（本発明の形態８）
本発明の形態８のコンピュータは、第３発明または本発明の形態７において、次の構成要件（Ａ010）を備えたことを特徴とする。
（Ａ010）前記放送情報を受信したことを記録装置（Ｕ）のユーザに通知する方法として、前記記録装置（Ｕ）によりシートに画像を記録する方法、前記記録装置（Ｕ）のユーザインタフェースの表示部に表示する方法、または前記記録装置（Ｕ）の音発生装置により音を発生する方法のいずれかの方法を選択可能な放送情報受信通知手段（８）。
【００２８】
（本発明の形態８の作用）
前記構成要件（Ａ010）を備えた本発明の形態８のコンピュータでは、放送情報受信通知手段（８）は、前記記録装置（Ｕ）によりシートに画像を記録する方法、前記記録装置（Ｕ）のユーザインタフェースの表示部に表示する方法、または前記記録装置（Ｕ）の音発生装置により音を発生する方法のいずれかの方法を選択して、前記放送情報を受信したことを記録装置（Ｕ）のユーザに通知する。
【００２９】
（本発明の形態９）
本発明の形態９のコンピュータは、前記第３発明または本発明の形態７もしくは８において次の構成要件（Ａ016），（Ａ017）を備えたことを特徴とする。
（Ａ016）前記放送受信装置（２）の受信電波を増幅する受信電波増幅器（１６）、
（Ａ017）前記増幅した受信電波を送信する送信アンテナ（１８）を有する送信装置（１７＋１８）。
【００３０】
（本発明の形態９の作用）
前記構成要件（Ａ016），（Ａ017）を備えた本発明の形態９のコンピュータでは、受信電波増幅器（１６）は前記放送受信装置（２）の受信電波を増幅する。送信装置（１７＋１８）は、前記増幅した受信電波を送信アンテナ（１８）から送信することができる。
したがって、本発明の形態９のコンピュータは、記録装置用放送電波中継装置として利用することができる。
【００３１】
（第４発明）
第４発明の記録装置用放送データ構造は、次の構成要件（Ａ018）を備えたことを特徴とする。
（Ａ018）デジタル放送の副搬送波で送信される記録装置用放送データ構造であって、メッセージ情報と、前記メッセージ情報提供する情報提供者特定情報と、前記メッセージ情報の送信先の記録装置（Ｕ）を特定する識別ＩＤ情報とを含む前記記録装置用放送データ構造。
【００３２】
（第４発明の作用）
前記構成要件（Ａ018）を備えた第４発明の記録装置用放送データ構造は、デジタル放送の副搬送波で送信される記録装置用放送データ構造であって、メッセージ情報と、前記メッセージ情報提供する情報提供者特定情報と、前記メッセージ情報の送信先の記録装置（Ｕ）を特定する識別ＩＤ情報とを含むので、前記識別ＩＤ情報によって特定される記録装置（Ｕ）に、必要なメッセージを送信することができる。
したがって、前記記録装置（Ｕ）は、リコール情報を含む放送情報を受信することが可能となる。
【発明の効果】
【００３３】
前述の本発明は、下記の効果（Ｅ01）〜（Ｅ03）を奏する。
（Ｅ01）記録装置のユーザにとって必要な放送情報をユーザに通知することができる。
（Ｅ02）電子写真プロセスやインクジェット等を使用した記録装置において、ユーザが構築したパソコン、サーバ等の上位機器とプリンタの間の接続形態にかかわりなく、非常事態の情報等を記録装置のユーザに通知することができる。
（Ｅ03）手軽に、課金を必要としないディジタル放送に重畳されている広告情報等を、記録装置のユーザが許諾した範囲で容易に得ることができる。
【発明を実施するための最良の形態】
【００３４】
次に図面を参照しながら、本発明の実施の形態を説明するが、本発明は以下の実施の形態に限定されるものではない。
【実施例】
【００３５】
（実施例１）
図１は本発明の実施例１の記録装置のブロック図である。
図２は図１の記録装置の受信する放送情報のデータ構造を示す図である。
図１において、記録装置Ｕは、デジタル放送電波を受信するアンテナ１および放送受信装置２を有している。アンテナ１で受信したデジタル放送電波に含まれる放送情報は記録装置Ｕに内蔵されている放送受信装置２で受信される。なお、放送受信装置２は受信放送を選択するための放送選択用部材（ツマミまたはボタン等）を有している。
受信した放送情報は、図２に示すデータ構造を有している。
【００３６】
図２において、受信した放送情報のデータ構造は、１バイトをひとつの単位として、任意のバイト数で構成される。各データ開始部分には、アスキー制御コードＳＴＸ（スタートオブテキスト）が挿入されている。前記アスキー制御コードＳＴＸは、１６進数で「０２ｈ」（＝２進数で８ビットのデータ「００００００１０」）である。また、最後のデータの終了部分にはアスキー制御コードＥＴＸ（エンドオブテキスト）が挿入されている。前記アスキー制御コードＥＴＸは、１６進数で「０３ｈ」（＝２進数で８ビットのデータ「００００００１１」）である。
【００３７】
前記放送情報には下記のデータ記憶エリアａ〜ｅが有る。
ａ：１バイトのフォーマット識別エリア、
ｂ：１バイトのタグエリア、
ｃ：１バイトの出力動作指定エリア、
ｄ：２バイトの機械固有ＩＤコードエリア、
ｅ：任意のデータ長のメッセージエリア、
【００３８】
ａ：フォーマット識別エリア
本実施例１では、フォーマット識別エリアａには、情報提供者（タグエリアｂに登録された情報提供者）に割り当てられたデータフォーマットを識別する１バイトのデータが記憶される。すなわち、前記フォーマット識別エリアａに記憶されたフォーマット識別データは、ＳＴＸで区切られた次のデータ領域ｂ〜ｅを有することを示す。
ｂ：タグエリア
この実施例１のタグエリアｂは、情報提供者を特定する１バイトの情報提供者コードが記憶されるエリアである。
【００３９】
ｃ：出力動作指定エリア
出力動作指定エリアｃは、データを受信した記録装置の受信データ出力動作を指定する１バイトデータが記憶される。この出力動作指定エリアｃに記憶されたデータが１０進数で１，２，３の場合には次の出力指定が行われる。
１…プリント出力
２…ディスプレイ出力
３…スピーカ出力またはブザー出力（音声出力が可能な場合は音声出力が指定され、音声出力が不可能な場合はブザー出力が指定される。）
なお、出力動作指定エリアに指定データが無い場合には、出力可能な全ての出力動作が指定されたものとする。
【００４０】
ｄ：機械固有ＩＤコードエリア
機械固有ＩＤコードエリアｄは、記録装置（機械）に割り当てられた２バイト固有ＩＤが記憶されるエリアである。
ｅ：メッセージエリア
メッセージエリアｅは、情報提供者からのメッセージが記憶されるエリアである。このメッセージエリアｅには例えば、情報提供者（例えば富士ゼロックス株式会社）から送信された特定の固有ＩＤを有する記録装置へのメッセージ（例えば、サービスエンジニアの点検を受けることを指示するメッセージ）が記憶される。このメッセージはＥＴＸまでである。
【００４１】
図１において、前記受信した放送情報（受信放送情報）は記録装置Ｕの放送情報記憶装置３に記憶される。
記録装置Ｕは登録情報記憶メモリ４を有しており、登録情報記憶メモリ４には次の情報４ａ〜４ｃが登録（記憶）される。なお、前記登録情報記憶メモリ４への次の情報４ａ〜４ｃの登録は、記録装置Ｕの出荷前にメーカにより登録される。なお、次の登録情報４ａ〜４ｃと同一の情報を有する受信放送情報のみが記録装置Ｕの放送情報記憶装置３に蓄積され、登録情報４ａ〜４ｃと同一の情報を有さない受信放送情報は放送情報記憶装置３から消去される。
（登録データ構造４ａ）
登録データ構造４ａは、記録装置Ｕにより受信するために登録した放送情報のデータ構造である。
（登録情報提供者コード４ｂ）
登録情報提供者コード４ｂは、記録装置Ｕにより受信するために登録した情報提供者コード（情報提供者を特定する情報、すなわち、情報提供者特定情報）である。
（登録識別ＩＤコード４ｃ）
登録識別ＩＤコード４ｃは、記録装置Ｕが自分宛の放送情報を受信するために登録した（すなわち、メーセージ送信先を特定するために登録した）識別ＩＤコードである。
【００４２】
なお、前記登録情報記憶メモリ４に記憶されている前記登録情報提供者コード４ｂと登録識別ＩＤコード４ｃとはＵＩ（ユーザインタフェース）から入力して記憶させることが可能である。
その場合、記録装置ＵのＵＩ（ユーザインタフェース）には、例えば、表示部ＵＩ1、テンキーＵＩ2などの他に、登録情報入力指定キーＵＩ3を設けておく。前記登録情報入力指定キーＵＩ3を入力すると、前記表示部ＵＩ1に情報登録画面（図示せず）が表示され、前記情報登録画面において、前記情報提供者コード４ａおよび識別ＩＤコード４ｂを入力して登録することができる。
【００４３】
記録装置Ｕは、ＣＰＵと、ＲＯＭ、ＲＡＭ、Ｉ／Ｏ（入出力インタフェース）等により構成されたコントローラＣを有しており、前記コントローラＣのＲＯＭに記憶されたプログラムにより、受信内容解析手段６、比較手段７、出力制御手段８の機能を実現している。前記各手段６〜８の機能を次に説明する。
（受信内容解析手段６）
受信内容解析手段６は、データ構造判別手段６ａを有している。
（データ構造判別手段６ａ）
データ構造判別手段６ａは、前記放送受信装置２で受信され放送情報記憶装置３に記憶された受信放送情報が前記図２に示すデータ構造（登録情報記憶メモリ４に記憶された登録データ構造４ａ）を有する情報であるか否かを判別する。すなわち、前記図２に示す受信放送情報のフォーマット識別エリアが前記図１に示す登録データ構造４ａと一致しない時、その受信放送情報は前記放送情報記憶装置３から消去される。
【００４４】
（比較手段７）
比較手段７は、情報提供者判別手段７ａおよび識別ＩＤ判別手段７ｂを有している。
（情報提供者判別手段７ａ）
情報提供者判別手段７ａは、放送情報記憶装置３に記憶されている放送情報（受信情報）に含まれる情報提供者特定情報（情報提供者コード）が、登録情報記憶メモリ４に登録されている登録情報提供者コード４ｂと一致するか否かを判別する。一致しない場合には、放送情報記憶装置３に記憶されている放送情報（受信情報）を消去する。
（識別ＩＤ判別手段７ｂ）
識別ＩＤ判別手段７ｂは、放送情報記憶装置３に記憶されている放送情報（受信情報）に含まれるメッセージ送信先を特定する識別ＩＤ（記録装置固有のＩＤコード）が、登録情報記憶メモリ４に登録されている登録識別ＩＤコード４ｃと一致するか否かを判別する。一致しない場合には、放送情報記憶装置３に記憶されている放送情報（受信情報）を消去する。
【００４５】
（出力制御手段８）
出力制御手段８は前記放送情報記憶装置３に記憶されている放送情報（受信情報）の出力動作指定エリア（図２参照）で指定されたメッセージの出力方法に応じて、前記放送情報に含まれるメッセージを次のいずれかの方法で出力する。
（１）メッセージを印字装置から出力
（２）ＵＩの表示部ＵＩ1にメッセージを受信していることを表示
（３）スピーカによりメッセージを受信したことを音声出力
【００４６】
図３は実施例１の記録装置ＵのコントローラＣの放送電波の受信処理のフローチャートである。
図３の放送電波の受信処理は、記録装置ＵのコントローラＣが実行する他の処理とマルチタスクで並行して実行される。図３の放送電波の受信処理は、記録装置Ｕの電源がオンになるとスタートする。
図３の放送電波の受信処理がスタートすると、ＳＴ（ステップ）１において放送を受信したか否か判断する。ノー（Ｎ）の場合はＳＴ１を繰り返し実行する。イエス（Ｙ）の場合はＳＴ２に移る。
ＳＴ２において受信情報を、放送情報記憶装置に記憶する。
次に、前記ＳＴ１に戻る。
【００４７】
図４は実施例１の記録装置ＵのコントローラＣの受信した放送情報をユーザに通知する受信放送情報通知処理のフローチャートである。
図４の受信放送情報通知処理は、記録装置ＵのコントローラＣが実行する他の処理とマルチタスクで並行して実行される。図４の受信放送情報通知処理は、記録装置Ｕがオンになるとスタートする。
図４の受信放送情報通知処理がスタートすると、ＳＴ（ステップ）１１におい放送情報記憶装置３に記憶した受信放送情報が有るか否か判断する。ノー（Ｎ）の場合はＳＴ１１を繰り返し実行する。イエス（Ｙ）の場合はＳＴ１２に移る。
ＳＴ１２において、記憶している受信放送情報のデータ構造は登録データ構造と同一か否か判断する。ノー（Ｎ）の場合はＳＴ１３に移る。
ＳＴ１３において放送情報記憶装置３に記憶されている受信放送情報を消去する。
ＳＴ１３次に前記ＳＴ１１に戻る。
【００４８】
前記ＳＴ１２においてイエス（Ｙ）の場合はＳＴ１４に移る。
ＳＴ１４において受信放送情報に含まれる情報提供者特定情報（情報提供者コード）は、登録情報記憶メモリ４に記憶（登録）された情報提供者特定情報（情報提供者コード）と同一か否か判断する。ノー（Ｎ）の場合は前記ＳＴ１３に移る。イエス（Ｙ）の場合は次のＳＴ１５に移る
ＳＴ１５において、受信した放送情報に含まれるメッセージ送信先を特定する識別ＩＤは、登録情報記憶メモリ４に記憶（登録）された登録識別ＩＤと同一か否か判断する。ノー（Ｎ）の場合は前記ＳＴ１３に移る。イエス（Ｙ）の場合はＳＴ１６に移る。
ＳＴ１６において、受信した放送情報（放送情報記憶装置３に記憶した受信放送情報）に含まれる出力方法指定情報に応じた出力装置（記録装置Ｕの、印字装置９、ＵＩ（ユーザインタフェース）の表示部ＵＩ1、またはスピーカ１０のいずれか）により、メッセージ情報を受信したことをユーザに通知する。
【００４９】
（実施例１の作用）
前記実施例１によれば、登録情報記憶手段４に登録された情報提供者が提供する放送情報を、記録装置のユーザに通知することができる。
【００５０】
（実施例２）
図５は本発明の実施例２の記録装置のブロック図であり、前記実施例１の図１に対応する図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
前記実施例１の図１では、登録情報記憶メモリ４には登録情報提供者コード４ｂが登録されていたが、本実施例２の図５では前記登録情報提供者コード４ｂの代わりに、登録受信放送情報分類コード４ｂ１〜４ｂ４が登録されている。
【００５１】
図６は実施例２の図５の記録装置の受信する放送情報のデータ構造を示す図であり、前記実施例１の図２に対応する図である。
記録装置が受信する実施例２の図６に示す放送情報のデータ構造は、前記実施例１の図２に示す放送情報のデータ構造に比較して、次の点で異なっている。すなわち、実施例１の、「タグエリアｂ」の代わりに次のエリアｂ1，ｂ2が設けられており、「機械固有ＩＤコードエリアｄ」の代わりに次のエリア「受信者指定エリアｄ」が設けられている。
ｂ１：タグエリア
この実施例２のタグエリアｂ１には、放送情報を分類するための放送情報分類コード１〜４が記憶される。各放送情報分類コードの内容を次に示す。
分類コード１：緊急（公的機関）…公的機関が提供する緊急情報
分類コード２：緊急（私的機関）…私的機関が提供する緊急情報
分類コード３：メーカー通知…（メーカーから特定の機械のユーザへのメッセージ情報）
分類コード４：広告…（広告主による広告情報）
【００５２】
ｂ２：情報提供者コードエリア（情報提供者特定情報記憶エリア）
情報提供者コードエリア前記「タグエリアｂ１」で示された情報の提供者を特定するコードが記憶される。例えば、「タグエリアｂ１」で指定（記憶）された情報がメーカー通知（メーカーから特定の機械のユーザへのメッセージ情報）である場合には、メーカーを特定する情報（例えば、「富士ゼロックス株式会社」を特定するコード）が記憶される。
ｄ：受信者指定エリア（機械固有ＩＤ等を記憶するエリア）
前記タグエリアｂ１に記憶された放送情報分類コードが分類コード３のメーカ通知である場合、このｄ受信者指定エリアに、機械固有ＩＤコード（記録装置（機械）に割り当てられた固有ＩＤ）が指定され、メッセージエリアｅには、例えば、情報提供者（例えば富士ゼロックス株式会社）から特定の固有ＩＤを有する記録装置へのメッセージ（例えば、サービスエンジニアの点検を受けることを指示するメッセージ）が記憶される。
なお、この実施例２では、前記タグエリアｂ１に記憶された放送情報分類コードが分類コード３のメーカ通知である場合のみ、受信者指定エリアｄに、受信者を指定するデータ、すなわち、機械固有ＩＤコード（記録装置（機械）に割り当てられた固有ＩＤ）が指定（記憶）されることがあり、その他の分類コード１，２，４の場合には、データが記憶されることが無い（受信者が指定されない）ものとしている。
【００５３】
前記図６の放送情報分類コード１〜４のいずれかを、ＵＩから登録すると、前記図５の登録情報記憶メモリ４に、登録受信情報分類コード４ｂ１として登録される。図５の登録受信情報分類コード４ｂ１として、前記放送情報分類コード４（図６参照）が登録された場合、記録装置Ｕは、広告情報を受信して前記放送情報記憶装置３に蓄積する。そして、受信した広告情報を前記放送情報記憶装置３に蓄積した時に、広告情報を受信したことを、印字装置９、スピーカ１０またはＵＩの表示部ＵＩ1のいずれかに出力してユーザに通知する。
なお、本実施例２では、図６の放送情報分類コード１〜４は、全て同一のデータフォーマットであるので、前記図５の登録情報記憶メモリ４に、放送情報分類コード１〜４の全てを、登録受信情報分類コード４ｂ１〜４ｂ４として登録することが可能である。そして、この実施例２では、前記図５の登録情報記憶メモリ４に、放送情報分類コード１〜４の全てが、登録受信情報分類コード４ｂ１〜４ｂ４として登録されているものとする。
【００５４】
図７は実施例２の記録装置ＵのコントローラＣの受信した放送情報をユーザに通知する受信放送情報通知処理のフローチャートであり、前記実施例１の図４のフローチャートに対応する図である。
図７の受信放送情報通知処理は、記録装置ＵのコントローラＣが実行する他の処理とマルチタスクで並行して実行される。
図７のフローチャートでは、前記図４のフローチャートのＳＴ１４の処理の代わりにＳＴ１４ａおよびＳＴ１４ｂの処理を実行するが、その他の各ＳＴの処理は前記図４のＳＴの処理と同一である。図７の受信放送情報通知処理のフローチャートの説明において、前記図４の各ＳＴの処理と同一の処理を行うＳＴの説明は省略する。
【００５５】
図７の受信放送情報通知処理は、記録装置Ｕがオンになるとスタートする。
図７のＳＴ１４ａにおいて、受信情報に含まれる情報分類コードは、登録情報記憶メモリ４に登録された登録受信情報分類コードと同一か否か判断する。ノー（Ｎ）の場合はＳＴ１３に移り、イエス（Ｙ）の場合はＳＴ１４ｂに移る。
ＳＴ１４ｂにおいて、受信放送情報の分類コードは「３」（メーカ通知）か否か判断する。イエス（Ｙ）の場合はＳＴ１５に移り、ノー（Ｎ）の場合はＳＴ１６に移る。
【００５６】
（実施例２の作用）
前記実施例２によれば、登録受信情報分類コード４ｂ（図５参照）に、（３）のメーカ通知（図６参照）を登録することにより、受信放送情報のタグエリアで（３）のメーカ通知（図６参照）が指定されている受信放送情報の中の、メッセージ送信先である識別ＩＤが記録装置Ｕに割り付けられた識別ＩＤと同一のメッセージのみを確実に受信して放送情報記憶装置３に蓄積することができる（図７のフローチャートのＳＴ１４ｂ、ＳＴ１５、ＳＴ１６参照）。
また、登録受信情報分類コード４ｂ（図５参照）に、（３）のメーカ通知（図６参照）以外の分類コードを登録することにより、登録した分類コードに対応する情報を受信して放送情報記憶装置３に蓄積することができる。また、情報を受信したことを記録装置Ｕのユーザに通知することができる。
【００５７】
前記実施例２では、例えば、タグエリアで分類コード１が指定されている場合（公的機関の緊急が指定されている場合）、次のエリアに示される出力動作指定情報とメッセージにより、たとえば、地震警報発令であるとか、津波警報発令であるとかが、印字装置９から出力される記録紙や、ＵＩ（ユーザインタフェース）の表示部ＵＩ1への表示や、スピーカ１０またはブザー鳴動等の音の出力により、出力される。出力回数は、例えば、図６の出力動作指定エリアの空きビットを割り付けて設定可能である。
前記機械固有ＩＤコードエリアには、例えば、ＪＡＮコードと機械のシリアルＮｏ.の組み合わせで表される機械個有番号（識別ＩＤコード）が記憶される。
図６において、放送情報分類コードとして、分類コード１，２，４が指定された場合には、機械固有のＩＤコードエリアには識別ＩＤデータは指定されない。前記放送情報分類コードとして、分類コード３（メーカ通知）が指定された場合には、機械固有のＩＤコードエリアには識別ＩＤデータが指定される。指定方法は×××≦○○○のように範囲指定することが可能であり、特定の１台の記録装置の識別ＩＤコードを指定することも可能である。
【００５８】
たとえば、私的機関の緊急連絡、火災発生等の危険度の高いリコールが発生した場合等には、タグエリアに分類コード２（緊急（私的機関））が指定され、動作指定エリアに出力手段が指定される。
そして、メッセージエリアの内容たとえば、『当該機器はリコール対象機器です。すぐに次の番号に電話してください。』を、（１）プリント出力、（２）ディスプレイ出力、（３）スピーカ出力の中の前記動作指定されたものにより出力する。
【００５９】
前記実施例２において、広告主コードの内容を前記登録情報記憶メモリ４に登録することにより、受信した放送情報データのタグエリアが広告を示す時、広告主コードに合致した広告情報のみ（メッセージエリアの内容）を、指定した動作で出力することが可能である。動作指定や広告主コードは、ＵＩ（ユーザインタフェース）から入力できる。なお、前記登録情報記憶メモリ４への登録は、上位機種であるＰＣからのダウンロード（指示）により行えるようにすることも可能である。前記ダウンロードの元データは広告主のＨＰから行えるようにすることも可能である。
【００６０】
（実施例３）
図８は本発明の実施例３の記録装置にネットワークを介して接続されたコンピュータ（サーバ）のブロック図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
図８において、ネットワークＮには、パソコンＰＣ、記録装置Ｕ、サーバＳが接続されている。サーバＳは、コンピュータにより構成されており、アンテナ１、放送受信装置２、放送情報記憶装置３、登録情報記憶メモリ４、サーバコントローラＳＣ、記憶装置１２等を有している。
【００６１】
サーバコントローラＳＣは、受信内容解析手段６、比較手段７、記録装置制御手段１１を有している。記録装置制御手段１１は、ネットワークＮに接続された記録装置Ｕの動作を制御する手段である。前記記録装置制御手段１１は、出力制御手段８を有しており、出力制御手段８は、サーバが放送情報を受信したことを、前記記録装置ＵのＵＩ（ユーザインタフェース）の表示部ＵＩ1、印字装置９、スピーカ１０等によりユーザに通知する機能を有している。
前記サーバＳにはディスプレイＤ、キーボードＫ、マウスＭ等が接続されており、前記キーボードＫ、マウスＭ等により、前記登録情報記憶メモリ４に登録する情報を入力することができる。
この実施例３はサーバＳと記録装置Ｕとを使用することにより、前記実施例１と同様の作用を奏することができる。
【００６２】
前記実施例３のサーバＳは、ファイルサーバ等の既存のサーバと兼用することが可能である。また、ネットワークＮに接続されたクライアントのＰＣに前記サーバＳと同様の機能を持たせることが可能である。
前記サーバＳは、公知の方法でネットワークＮに対して一定間隔でブロードキャストを行ない、接続している記録装置のネットワーク上のアドレスと機械固有ＩＤとを常時把握して、前記登録情報記憶メモリ４の登録識別ＩＤコード４ｃとして記憶（登録）しておくことが可能である。このような状態で、図２に示されるようなデータを受信すると、ネットワークＮ上にある記録装置が対象装置かどうかのチェックを行ない、存在する場合はタグエリアと出力動作指定に則り記録装置に出力指示を出すことができる。
また、ネットワークＮに接続された全ての記録装置の識別ＩＤコード４ｃを登録情報記憶メモリ４に登録することが可能である。また、ネットワークＮを介することなく、記録装置とコンピュータとを１対１で接続したコンピュータに、前記サーバＳと同様の機能を持たせることも可能である。
【００６３】
（実施例４）
図９は本発明の実施例４の記録装置のブロック図である。
なお、この実施例４の説明において、前記実施例１の構成要素に対応する構成要素には同一の符号を付して、その詳細な説明を省略する。
この実施例４は、下記の点で前記実施例１と相違しているが、他の点では前記実施例１と同様に構成されている。
図９において、この実施例４の記録装置Ｕ′は、前記実施例１の放送受信装置２の代わりに、高感度放送受信装置２′を備えている。また、前記記録装置Ｕ′は、前記高感度受信装置２′の受信信号を増幅する増幅器１６および前記増幅器１６で増幅された受信信号を電波送信する送信機１７を有している。
この実施例４の記録装置Ｕ′のその他の構成は、前記実施例１の記録装置と同様である。
この実施例４の記録装置Ｕ′は、車に搭載して電波状況の悪い地域に運搬して、電波中継用の移動基地として使用することができる。
【産業上の利用可能性】
【００６４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）実施例２において、放送分類コードおよびそれに対応する内容としては例示したもの以外の種々の分類コードおよび内容を使用可能である。
【図面の簡単な説明】
【００６５】
【図１】図１は本発明の実施例１の記録装置のブロック図である。
【図２】図２は図１の記録装置の受信する放送情報のデータ構造を示す図である。
【図３】図３は実施例１の記録装置ＵのコントローラＣの放送電波の受信処理のフローチャートである。
【図４】図４は実施例１の記録装置ＵのコントローラＣの受信した放送情報をユーザに通知する受信放送情報通知処理のフローチャートである。
【図５】図５は本発明の実施例２の記録装置のブロック図であり、前記実施例１の図１に対応する図である。
【図６】図６は実施例２の図５の記録装置の受信する放送情報のデータ構造を示す図であり、前記実施例１の図２に対応する図である。
【図７】図７は実施例２の記録装置ＵのコントローラＣの受信した放送情報をユーザに通知する受信放送情報通知処理のフローチャートであり、前記実施例１の図４のフローチャートに対応する図である。
【図８】図８は本発明の実施例３の記録装置にネットワークを介して接続されたコンピュータ（サーバ）のブロック図である。
【図９】図９は本発明の実施例４の記録装置のブロック図である。
【符号の説明】
【００６６】
２…放送受信装置、
３…放送情報記憶装置、
４…登録情報記憶手段、
７ａ…情報提供者判別手段、
７ｂ…識別ＩＤ判別手段、
８…放送情報受信通知手段、
１６…受信電波増幅器、
１８…送信アンテナ、
Ｓ…コンピュータ、
Ｕ…記録装置、
ＵＩ…ユーザインタフェース、
ＵＩ1…表示部、
Ｕ′…記録装置用放送電波中継装置、
（１７＋１８）…受信情報送信手段、
【図１】
2006179971.tif 000003
【図２】
2006179971.tif 000004
【図３】
2006179971.tif 000005
【図４】
2006179971.tif 000006
【図５】
2006179971.tif 000007
【図６】
2006179971.tif 000008
【図７】
2006179971.tif 000009
【図８】
2006179971.tif 000010
【図９】
2006179971.tif 000011